(57)【要約】【課題】オペレータが光源を見る方向に関わらず光源からの光によりオペレータに眩しく感じさせることを軽減させることができる画像読取装置及びそれを備えた画像形成装置を提供する【解決手段】画像読取装置１００は、光源２１１の点灯及び消灯の制御を行う点灯制御手段４４１と、光源２１１の発光光量を制御する光量制御手段４４２とを備え、開閉検知手段２６０にて原稿押さえ部材３１９が閉じていることを検出した場合に、原稿Ｇの画像の読み取り動作に先立って点灯制御手段４４１にて光源２１１を点灯させるときには、光量制御手段４４２にて光源２１１の発光光量を、原稿Ｇの画像を読み取るときの発光光量よりも少なくするように制御する。【選択図】図１２
2012104880.tif 000002
【特許請求の範囲】
【請求項１】
原稿を載置する原稿載置用透明体と、
前記原稿載置用透明体に対して開閉可能に構成されて該原稿載置用透明体に対して閉じることにより該原稿載置用透明体上に載置された前記原稿を押さえる原稿押さえ部材と、
前記原稿押さえ部材の開閉を検知する開閉検知手段と、
前記原稿の画像を読み取るために前記原稿載置用透明体を介して該原稿を照明する光源を有する光源部と
を備えた画像読取装置であって、
前記光源の点灯及び消灯の制御を行う点灯制御手段と、
前記光源の発光光量を制御する光量制御手段と
を備え、
前記開閉検知手段にて前記原稿押さえ部材が閉じていることを検出した場合に、前記原稿の画像の読み取り動作に先立って前記点灯制御手段にて前記光源を点灯させるときには、前記光量制御手段にて該光源の発光光量を、該原稿の画像を読み取るときの発光光量よりも少なくするように制御することを特徴とする画像読取装置。
【請求項２】
請求項１に記載の画像読取装置であって、
前記光源部を副走査方向に移動させつつ前記原稿載置用透明体上に載置された前記原稿を主走査方向に走査して該原稿載置用透明体を介して画像読取部で読み取る構成とされており、
前記光源部が移動する移動領域のうち、前記原稿の読取領域以外の領域に設けられた白基準部材と、
前記白基準部材の前記原稿の画像を読み取るときの基準となる基準読取値を記憶する記憶手段と
を備え、
前記開閉検知手段にて前記原稿押さえ部材が閉じていることを検出した場合に、前記原稿の画像の読み取り動作に先立って前記点灯制御手段にて前記光源を点灯させるときには、該光源を点灯させた状態で前記光源部を前記白基準部材側へ移動させて該白基準部材を前記画像読取部で読み取り、読み取った該白基準部材の読取値と、前記記憶手段にて予め記憶されている前記基準読取値とを比較し、比較した比較結果に基づいて前記光量制御手段にて前記原稿の画像を読み取るときに発光する該光源の発光光量の光量補正制御を行うことを特徴とする画像読取装置。
【請求項３】
請求項２に記載の画像読取装置であって、
前記開閉検知手段にて前記原稿押さえ部材が閉じていることを検出した場合に、前記原稿の画像を読み取るときの発光光量よりも少ない発光光量での前記白基準部材の読取値と、前記原稿の画像を読み取るときの発光光量での前記白基準部材の読取値と、前記記憶手段にて予め記憶されている前記基準読取値とを比較し、比較した比較結果に基づいて前記光量補正制御を行うことを特徴とする画像読取装置。
【請求項４】
請求項３に記載の画像読取装置であって、
前記原稿の画像を読み取るときの発光光量よりも少ない発光光量での前記白基準部材の前記画像読取部による読取値をＬｃ、前記原稿の画像を読み取るときの発光光量での前記白基準部材の読取値をＬｓ、前記記憶手段にて予め記憶されている前記基準読取値をＬｉとしたとき、［（Ｌｃ／Ｌｓ）×Ｌｉ］の式で算出した算出値に基づいて前記光量補正制御を行うことを特徴とする画像読取装置。
【請求項５】
請求項２から請求項４までの何れか一つに記載の画像読取装置であって、
原稿を読み取るための原稿読取用透明体を備え、
前記原稿読取用透明体上を通過するように副走査方向に搬送される前記原稿を読取位置に位置する前記光源部にて主走査方向に走査して該原稿読取用透明体を介して前記画像読取部で読み取る構成とされており、
前記原稿読取用透明体は、前記白基準部材を間にして前記読取領域とは反対側に設けられており、
前記開閉検知手段にて前記原稿押さえ部材が閉じていることを検出した場合に、前記原稿の画像の読み取り動作に先立って前記点灯制御手段にて前記光源を点灯させるときには、前記光源部を前記原稿読取用透明体へ向けて移動させながら該光源からの光を前記白基準部材に照射して該白基準部材を前記画像読取部で読み取り、該光源部が該原稿読取用透明体に達する前に該光源を消灯させることを特徴とする画像読取装置。
【請求項６】
請求項１から請求項５までの何れか一つに記載の画像読取装置であって、
前記光源は、複数の発光素子を主走査方向に列設したものであり、
前記点灯制御手段は、前記複数の発光素子のうち、発光素子毎に或いは連続する複数の発光素子からなる発光素子ブロック毎に点灯及び消灯の制御を行う構成とされており、
前記開閉検知手段にて前記原稿押さえ部材が閉じていることを検出した場合に、前記原稿の画像の読み取り動作に先立って前記点灯制御手段にて前記発光素子又は発光素子ブロックを点灯させるときには、該発光素子又は発光素子ブロックの一部を点灯させることを特徴とする画像読取装置。
【請求項７】
請求項１から請求項６までの何れか一つに記載の画像読取装置を備えたことを特徴とする画像形成装置。
【発明の詳細な説明】
【技術分野】
【０００１】
本発明は、画像読取装置及びそれを備えた画像形成装置に関する。
【背景技術】
【０００２】
複写機、複合機等の画像形成装置に備えられる画像読取装置や、ネットワーク等の通信手段を介してコンピュータに接続される画像読取装置では、ハロゲン光源やキセノン光源或いは複数の発光素子（具体的にはＬＥＤ）を主走査方向に列設したアレイ状光源等の光源によって照明された原稿からの反射光を原稿の画像として読み取るようになっている。
【０００３】
画像読取装置として、一般的に、原稿を固定させて原稿の画像を読み取る原稿固定読取方式のもの、原稿を移動させて原稿の画像を読み取る原稿移動読取方式のものや、原稿移動読取方式及び原稿固定読取方式を組み合わせたものが採用される。
【０００４】
詳しくは、原稿固定読取方式の画像読取装置では、光源を備える光源部を副走査方向に移動させつつ原稿載置用透明体（具体的には原稿台ガラス等の透明板）上に載置された原稿を原稿押さえ部材（例えば原稿押さえカバー）にて押さえた状態で該原稿載置用透明体を介して主走査方向に走査してＣＣＤ（Charge Coupled Device）やＣＩＳ（Contact Image Sensor）等の画像読取部（具体的には光電変換素子）で読み取る。原稿移動読取方式の画像読取装置では、原稿読取用透明体（具体的には原稿読取ガラス等の透明板）上を通過するように自動原稿送り装置によって副走査方向に搬送される原稿を読取位置に位置する光源部にて該原稿読取用透明体を介して主走査方向に走査してＣＣＤやＣＩＳ等の画像読取部で読み取る。なお、原稿移動読取方式及び原稿固定読取方式を組み合わせた画像読取装置では、通常は、自動原稿送り装置の構成部材が原稿押さえ部材を兼ねる。
【０００５】
このような画像読取装置の中には、原稿押さえ部材が閉じていることを検出した場合に、原稿の画像の読み取り動作に先立って、光源を点灯させる構成の画像読取装置が従来から知られている。
【０００６】
かかる構成の画像読取装置では、例えば、原稿の読取領域以外の領域に白基準部材が設けられ、原稿の画像を読み取るのにあたって、光源部を原稿の読取領域に対応する何れかの位置（具体的には原稿載置用透明体の下方における何れかの位置）に待機させ、原稿押さえ部材が原稿載置用透明体上に載置された原稿を押さえる際に閉じられる途中において、光源を点灯させた状態で光源部を白基準部材側へ移動させて白基準部材を画像読取部で読み取ることがある。そして、この読取値を用いて、原稿の画像を読み取るときに発光する光源の発光光量のレベル調整を行ったり、或いは、受光信号の値を一定にするシェーディング補正を行ったりする。
【０００７】
このような従来の画像読取装置においては、原稿押さえ部材を閉じる途中で光源を点灯させるので、光源からの光がオペレータの目に入りやすく、そうすると、光源からの光によりオペレータに対して眩しく感じさせることになる。
【０００８】
この点に関し、特許文献１には、一方の直線状光源の光軸を載置台の載置面に垂直な方向に対して他方の直線状光源側に傾斜させ、載置台上の原稿のサイズを判別するときに、一対の直線状光源のうちオペレータに向かう方向の光軸を有する直線状光源を消灯することにより、オペレータに光源発光を眩しく感じさせることなく原稿のサイズを判別する画像読取装置が開示されている。
【先行技術文献】
【特許文献】
【０００９】
【特許文献１】特開２００７−２８８７１６号公報
【発明の概要】
【発明が解決しようとする課題】
【００１０】
しかしながら、特許文献１に記載の画像読取装置では、オペレータが光源を見る方向よっては、原稿載置用透明体上に載置された原稿の外側にはみ出した光源からの光によりオペレータに眩しく感じさせてしまうことになるため、未だ課題が残る。
【００１１】
そこで、本発明は、原稿の画像の読み取り動作に先立ち原稿押さえ部材を閉じる途中で光源を点灯させた場合に、オペレータが光源を見る方向に関わらず光源からの光によりオペレータに眩しく感じさせることを軽減させることができる画像読取装置及びそれを備えた画像形成装置を提供することを目的とする。
【課題を解決するための手段】
【００１２】
本発明は、前記課題を解決するために、原稿を載置する原稿載置用透明体と、前記原稿載置用透明体に対して開閉可能に構成されて該原稿載置用透明体に対して閉じることにより該原稿載置用透明体上に載置された前記原稿を押さえる原稿押さえ部材と、前記原稿押さえ部材の開閉を検知する開閉検知手段と、前記原稿の画像を読み取るために前記原稿載置用透明体を介して該原稿を照明する光源を有する光源部とを備えた画像読取装置であって、前記光源の点灯及び消灯の制御を行う点灯制御手段と、前記光源の発光光量を制御する光量制御手段とを備え、前記開閉検知手段にて前記原稿押さえ部材が閉じていることを検出した場合に、前記原稿の画像の読み取り動作に先立って前記点灯制御手段にて前記光源を点灯させるときには、前記光量制御手段にて該光源の発光光量を、該原稿の画像を読み取るときの発光光量よりも少なくするように制御することを特徴とする画像読取装置を提供する。また、本発明は、前記本発明に係る画像読取装置を備えたことを特徴とする画像形成装置も提供する。
【００１３】
本発明によれば、前記原稿の画像の読み取り動作に先立って前記点灯制御手段にて前記光源を点灯させるときには、該光源の発光光量を、該原稿の画像を読み取るときの発光光量よりも少なくするので、前記原稿載置用透明体上に載置された前記原稿の外側にはみ出した部分を含む前記光源の発光光量をオペレータに眩しく感じにくい程度の光量にでき、これにより、オペレータが前記光源を見る方向に関わらず前記光源からの光によりオペレータに眩しく感じさせることを軽減させることが可能となる。
【００１４】
本発明において、前記光源部を副走査方向に移動させつつ前記原稿載置用透明体上に載置された前記原稿を主走査方向に走査して該原稿載置用透明体を介して画像読取部で読み取る構成とされており、前記光源部が移動する移動領域のうち、前記原稿の読取領域以外の領域に設けられた白基準部材と、前記白基準部材の前記原稿の画像を読み取るときの基準となる基準読取値を記憶する記憶手段とを備えている態様を例示できる。この態様では、前記開閉検知手段にて前記原稿押さえ部材が閉じていることを検出した場合に、前記原稿の画像の読み取り動作に先立って前記点灯制御手段にて前記光源を点灯させるときには、該光源を点灯させた状態で前記光源部を前記白基準部材側へ移動させて該白基準部材を前記画像読取部で読み取り、読み取った該白基準部材の読取値と、前記記憶手段にて予め記憶されている前記基準読取値とを比較し、比較した比較結果に基づいて前記光量制御手段にて前記原稿の画像を読み取るときに発光する該光源の発光光量の光量補正制御を行うことが好ましい。
【００１５】
この特定事項では、前記白基準部材を前記画像読取部で読み取った該白基準部材の前記読取値と、前記記憶手段にて予め記憶されている前記基準読取値とを比較し、比較した比較結果に基づいて前記光量制御手段にて前記原稿の画像を読み取るときに発光する前記光源の発光光量の光量補正制御を行うので、該光量補正制御を確実に行うことができる。
【００１６】
本発明において、前記開閉検知手段にて前記原稿押さえ部材が閉じていることを検出した場合に、前記原稿の画像を読み取るときの発光光量よりも少ない発光光量での前記白基準部材の読取値と、前記原稿の画像を読み取るときの発光光量での前記白基準部材の読取値と、前記記憶手段にて予め記憶されている前記基準読取値とを比較し、比較した比較結果に基づいて前記光量補正制御を行う態様を例示できる。
【００１７】
この特定事項では、前記原稿を読み取るときの発光光量よりも少ない発光光量での前記読取値に加えて前記原稿の画像を読み取るときの前記読取値と前記原稿の画像を読み取るときの基準となる前記基準読取値とを用いて前記光量補正制御を行うので、該光量補正制御の補正精度を向上させることができる。
【００１８】
かかる構成において、前記原稿の画像を読み取るときの発光光量よりも少ない発光光量での前記白基準部材の前記画像読取部による読取値をＬｃ、前記原稿の画像を読み取るときの発光光量での前記白基準部材の読取値をＬｓ、前記記憶手段にて予め記憶されている前記基準読取値をＬｉとしたとき、［（Ｌｃ／Ｌｓ）×Ｌｉ］の式で算出した算出値に基づいて前記光量補正制御を行う態様を例示できる。
【００１９】
この特定事項では、［（Ｌｃ／Ｌｓ）×Ｌｉ］といった簡単な計算式で前記光量補正制御を行うことができ、それだけ光量補正のための制御構成を簡素化することができる。
【００２０】
本発明において、原稿を読み取るための原稿読取用透明体を備え、前記原稿読取用透明体上を通過するように副走査方向に搬送される前記原稿を読取位置に位置する前記光源部にて主走査方向に走査して該原稿読取用透明体を介して前記画像読取部で読み取る構成とされており、前記原稿読取用透明体は、前記白基準部材を間にして前記読取領域とは反対側に設けられている態様を例示できる。この態様では、前記開閉検知手段にて前記原稿押さえ部材が閉じていることを検出した場合に、前記原稿の画像の読み取り動作に先立って前記点灯制御手段にて前記光源を点灯させるときには、前記光源部を前記原稿読取用透明体へ向けて移動させながら該光源からの光を前記白基準部材に照射して該白基準部材を前記画像読取部で読み取り、該光源部が該原稿読取用透明体に達する前に該光源を消灯させることが好ましい。
【００２１】
この特定事項では、前記光源部が前記原稿読取用透明体に達する前に前記光源を消灯させるので、該原稿読取用透明体に対応する領域において前記光源からの光によりオペレータに眩しく感じさせることを回避することが可能となる。
【００２２】
本発明において、前記光源は、複数の発光素子を主走査方向に列設したものであり、前記点灯制御手段は、前記複数の発光素子のうち、発光素子毎に或いは連続する複数の発光素子からなる発光素子ブロック毎に点灯及び消灯の制御を行う構成とされており、前記開閉検知手段にて前記原稿押さえ部材が閉じていることを検出した場合に、前記原稿の画像の読み取り動作に先立って前記点灯制御手段にて前記発光素子又は発光素子ブロックを点灯させるときには、該発光素子又は発光素子ブロックの一部を点灯させる態様を例示できる。
【００２３】
この特定事項では、前記発光素子又は発光素子ブロックの一部を点灯させるので、前記原稿載置用透明体上に載置された前記原稿の外側にはみ出して発光する前記光源のはみ出し量を減らすことができ、これにより、前記原稿載置用透明体上に載置された前記原稿の外側にはみ出した前記光源からの光によりオペレータに眩しく感じさせることをさらに軽減させることが可能となる。
【００２４】
なお、本発明に係る画像読取装置は、複数のミラーとレンズとを備え、原稿からの反射光をミラーにてレンズに導き、かつ、該レンズにて光電変換素子として作用するレンズ縮小型イメージセンサに縮小画像を結像させて読み取る縮小光学系タイプの画像読取装置であってもよい。縮小光学系タイプの画像読取装置に用いられる光電変換素子としては、電荷結合素子（ＣＣＤ：Charge Coupled Devices）等の固体撮像素子を例示できる。
【００２５】
また、本発明に係る画像読取装置は、レンズアレイを備え、原稿からの反射光を該原稿に近接したレンズアレイにて光電変換素子として作用する密着型イメージセンサ（ＣＩＳ：Contact Image Sensor）に等倍画像を結像させて読み取る等倍光学系タイプの画像読取装置であってもよい。
【発明の効果】
【００２６】
以上説明したように、本発明によると、前記原稿の画像の読み取り動作に先立って前記点灯制御手段にて前記光源を点灯させるときには、該光源の発光光量を、該原稿の画像を読み取るときの発光光量よりも少なくするので、前記原稿載置用透明体上に載置された前記原稿の外側にはみ出した部分を含む前記光源の発光光量をオペレータに眩しく感じにくい程度の光量にでき、これにより、オペレータが前記光源を見る方向に関わらず前記光源からの光によりオペレータに眩しく感じさせることを軽減させることが可能となる。
【図面の簡単な説明】
【００２７】
【図１】本発明の実施の形態に係る画像読取装置を備えた画像形成装置を概略的に示す断面図である。
【図２】図１に示す画像読取装置の概略断面図である。
【図３】光源ユニットの概略構成を示す図であって、（ａ）は、その斜視図であり、（ｂ）は、その分解斜視図である。
【図４】自動原稿送り装置の開閉検知構成を説明するための概略斜視図であって、自動原稿送り装置が原稿読取部に対して開放している状態を正面斜め上方から視た図である。
【図５】自動原稿送り装置の開閉検知構成を説明するための概略側面図であって、自動原稿送り装置の開閉状態を左側面から視た図である。
【図６】原稿読取部に設けられた開閉検知部の概略構成図であって、（ａ）は、開閉検知部の断面図であり、（ｂ）は、開閉検知部を下側から視た底面図である。
【図７】本実施の形態に係る画像読取装置を正面斜め上方から視た概略斜視図である。
【図８】本実施の形態に係る画像読取装置の制御系の概略構成を示す図であって、画像読取装置における制御部を中心に示す制御ブロック図である。
【図９】原稿のサイズ及び有無の判定を説明するための図であって、（ａ）は、原稿サイズセンサの配置構成を平面から視た概略平面図であり、（ｂ）は、原稿サイズセンサの受光部による受光の有無を表した設定テーブルを示す表であり、（ｃ）は、原稿有無センサの受光部による受光の有無を表した設定テーブルを示す表である。
【図１０】原稿のサイズの検出結果に基づいて発光素子又は発光素子ブロックの点灯及び消灯パターンの一例を説明するための図であって、光源における光源基板上の発光素子と原稿のサイズとの位置関係を示す概略平面図である。
【図１１】原稿のサイズの検出結果に基づいて発光素子又は発光素子ブロックの点灯及び消灯パターンの一例を説明するための図であって、発光素子又は発光素子ブロックの点灯及び消灯を表した設定テーブルを示す表である。
【図１２】画像読取装置の主制御部による動作制御の一例を示すフローチャートである。
【発明を実施するための形態】
【００２８】
以下、本発明に係る実施の形態について図面を参照しながら説明する。なお、以下の実施の形態は、本発明を具体化した例であって、本発明の技術的範囲を限定する性格のものではない。
【００２９】
［画像形成装置の全体構成について］
図１は、本発明の実施の形態に係る画像読取装置１００を備えた画像形成装置Ｄを概略的に示す断面図である。
【００３０】
図１に示す画像形成装置Ｄは、原稿Ｇ（後述する図２等参照）の画像を読み取る画像読取装置１００と、この画像読取装置１００により読み取られた原稿Ｇの画像又は外部から受信した画像をカラーもしくは単色で記録用紙等の記録シートＰに記録形成する装置本体Ｄｄとを備えており、装置本体Ｄｄには、画像形成部５１とシート搬送系５２とが設けられている。
【００３１】
画像形成部５１は、露光ユニット１、複数の現像ユニット２，…、複数の感光体ドラム３，…、複数のクリーニング部４，…、複数の帯電器５，…、中間転写ベルトユニット６、複数のトナーカートリッジユニット２１，…及び定着ユニット７を備えている。
【００３２】
また、シート搬送系５２は、給紙トレイ８１、手差し給紙トレイ８２及び排出トレイ９１を備えている。
【００３３】
装置本体Ｄｄの上部には、原稿読取部２００を備えた原稿読取装置１００が設けられている。原稿読取部２００は、装置本体Ｄｄに組み込まれている。装置本体Ｄｄでは、原稿読取装置１００の原稿読取部２００で読み取られた原稿の画像全体は、画像データとして画像形成装置Ｄの装置本体Ｄｄへと送られ、装置本体Ｄｄにおいて画像データに基づき形成された画像が記録シートＰに記録される。
【００３４】
画像形成装置Ｄにおいて扱われる画像データは、複数色（ここではブラック（Ｋ）、シアン（Ｃ）、マゼンタ（Ｍ）、イエロー（Ｙ）の各色）を用いたカラー画像に応じたものである。従って、現像ユニット２，…、感光体ドラム３，…、クリーニング部４，…、帯電器５，…及びトナーカートリッジユニット２１，…は、各色に応じた複数種類（ここでは４種類）の画像を形成するようにそれぞれ複数個（ここでは４個ずつ設けられ、それぞれブラック、シアン、マゼンタ、イエロー）に設定され、これらによって複数（ここでは４つ）の画像ステーションが構成されている。
【００３５】
帯電器５，…は、感光体ドラム３，…の表面を所定の電位に均一に帯電させるための帯電手段であり、図１に示すようなチャージャ型の他、接触型であるローラ型やブラシ型の帯電器を用いることができる。
【００３６】
露光ユニット１は、レーザ出射部及び反射ミラーを備えたレーザスキャニングユニット（ＬＳＵ）として構成されている。露光ユニット１には、レーザビームを走査するポリゴンミラーと、このポリゴンミラーによって反射されたレーザ光を感光体ドラム３，…に導くためのレンズやミラー等の光学素子とが設けられている。また、露光ユニット１としては、この他にも、例えば、ＥＬ（エレクトロルミネッセンス）やＬＥＤ（発光ダイオード）等の発光素子をアレイ状に並べた書込みヘッドを用いる手法を採用することもできる。
【００３７】
露光ユニット１は、入力された画像データに応じて、帯電された感光体ドラム３，…をそれぞれ露光することにより、画像データに応じた静電潜像をそれぞれの感光体ドラム３，…の表面に形成する。
【００３８】
トナーカートリッジユニット２１，…は、トナーを収容するユニットであり、現像ユニット２，…の現像槽へトナーが供給されるようになっている。画像形成装置Ｄの装置本体Ｄｄにおいて、トナーカートリッジユニット２１，…から現像ユニット２，…の現像槽へ供給されるトナーは、該現像槽における現像剤のトナー濃度が一定になるように制御される。
【００３９】
現像ユニット２，…は、それぞれの感光体ドラム３，…上に形成された静電潜像を４色（Ｙ，Ｍ，Ｃ，Ｋ）のトナーにより顕像化するものである。また、クリーニング部４，…は、現像及び画像転写後における感光体ドラム３，…上の表面に残留したトナーを除去、回収する。
【００４０】
感光体ドラム３，…の上方に配置されている中間転写ベルトユニット６は、中間転写体として作用する中間転写ベルト６１、中間転写ベルト駆動ローラ６２、中間転写ベルト従動ローラ６３、複数の中間転写ローラ６４，…及び中間転写ベルトクリーニングユニット６５を備えている。
【００４１】
中間転写ローラ６４，…は、Ｙ，Ｍ，Ｃ，Ｋの各色に対応して４本設けられている。中間転写ベルト駆動ローラ６２は、中間転写ベルト従動ローラ６３及び中間転写ローラ６４，…と共に中間転写ベルト６１を張架し、回転駆動されることで、中間転写ベルト６１が移動方向（図１中矢印Ｍ方向）に周回移動され、それに伴い従動ローラ６３及び中間転写ローラ６４，…が従動回転される。
【００４２】
各中間転写ローラ６４，…は、感光体ドラム３，…上に形成されたトナー像を中間転写ベルト６１上に転写するための転写バイアスが印加される。
【００４３】
中間転写ベルト６１は、各感光体ドラム３，…に接触するように設けられている。中間転写ベルト６１は、感光体ドラム３，…に形成された各色のトナー像を順次重ねて転写されることによって、表面にカラーのトナー像（多色トナー像）が形成される。中間転写ベルト６１は、例えば、厚さ１００μｍ〜１５０μｍ程度のフィルムを用いた無端状のものとされている。
【００４４】
感光体ドラム３，…から中間転写ベルト６１へのトナー像の転写は、中間転写ベルト６１の裏側に接触している中間転写ローラ６４，…によって行われる。中間転写ローラ６４，…には、トナー像を転写するために高電圧の転写バイアス（トナーの帯電極性（−）とは逆極性（＋）の高電圧）が印加される。中間転写ローラ６４，…は、直径８ｍｍ〜１０ｍｍの金属（例えばステンレス）軸をベースとし、その表面が導電性の弾性材（例えば、ＥＰＤＭ（エチレン−プロピレン−ジエンゴム）や発泡ウレタン等の樹脂材料）により覆われているローラである。中間転写ローラ６４，…は、この導電性の弾性材により、中間転写ベルト６１に対して均一に高電圧を印加する転写電極とされている。本実施の形態では、転写電極としてローラ形状の転写電極を使用しているが、それ以外に、ブラシなどの転写電極を用いることが可能である。
【００４５】
既述のとおり、各感光体ドラム３，…上で各色相に応じて顕像化されたトナー像は、中間転写ベルト６１上で積層される。中間転写ベルト６１上で積層されたトナー像は、中間転写ベルト６１の周回移動によって、記録シートＰと中間転写ベルト６１との接触位置に配置された二次転写機構部を構成する転写ローラ１０によって記録シートＰ上に転写される。但し、二次転写機構部の構成としては、転写ローラに限らず、コロナチャージャや転写ベルト等の転写構成を用いることが可能である。
【００４６】
このとき、転写ローラ１０は、中間転写ベルト６１との間で転写ニップが形成された状態で、トナーを記録シートＰに転写させるための電圧（トナーの帯電極性（−）とは逆極性（＋）の高電圧）が印加される。転写ローラ１０及び中間転写ベルト駆動ローラ６２が互いに圧接されることで転写ローラ１０と中間転写ベルト６１との間には転写ニップが形成される。転写ニップを定常的に得るために、転写ローラ１０及び中間転写ベルト駆動ローラ６２のうち何れか一方が硬質材料（金属等）で構成された硬質ローラとされ、他方が軟質材料（弾性ゴムや発泡性樹脂等の樹脂材料）で構成された弾性ローラとされている。
【００４７】
転写ローラ１０による中間転写ベルト６１上から記録シートＰ上へのトナー像の転写にあたり、記録シートＰ上に転写されずに中間転写ベルト６１上にトナーが残存することがある。中間転写ベルト６１上に残存したトナーは、次工程でトナーの混色を発生させる原因となる。このため、中間転写ベルト６１上に残存したトナーは、中間転写ベルトクリーニングユニット６５によって除去、回収される。具体的には、中間転写ベルトクリーニングユニット６５には、中間転写ベルト６１に接触するクリーニング部材（例えばクリーニングブレード）が備えられている。従動ローラ６３は、中間転写ベルト６１を内側（裏側）から支持しており、クリーニング部材は、外側から従動ローラ６３に向けて押圧するように中間転写ベルト６１に接触している。
【００４８】
給紙トレイ８１は、画像形成（印刷）される記録シートＰを予め収容しておくトレイであり、装置本体Ｄｄにおける露光ユニット１の下方に設けられている。また、手差し給紙トレイ８２には、画像形成（印刷）される記録シートＰが載置される。排出トレイ９１は、装置本体Ｄｄにおける画像形成部５１の上方に設けられており、画像形成（印刷）済みの記録シートＰをフェイスダウンで集積する。
【００４９】
また、装置本体Ｄｄには、給紙トレイ８１及び手差し給紙トレイ８２から送られてきた記録シートＰを転写ローラ１０及び定着ユニット７を経て、排出トレイ９１に送るためのシート搬送路Ｓが設けられている。シート搬送路Ｓの近傍には、ピックアップローラ１１ａ，１１ｂ、複数の（ここでは第１から第４）搬送ローラ１２ａ〜１２ｄ、レジストローラ１３、転写ローラ１０、定着ユニット７におけるヒートローラ７１及び加圧ローラ７２、排出ローラ３１が配置されている。
【００５０】
第１から第４搬送ローラ１２ａ〜１２ｄは、記録シートＰの搬送を促進、補助するための小型のローラであり、シート搬送路Ｓに沿って設けられている。また、ピックアップローラ１１ａは、給紙トレイ８１のシート供給側の近傍に備えられ、給紙トレイ８１から記録シートＰを１枚ずつピックアップしてシート搬送路Ｓに供給する。同様に、ピックアップローラ１１ｂは、手差し給紙トレイ８２のシート供給側の近傍に備えられ、手差し給紙トレイ８２から記録シートＰを１枚ずつピックアップしてシート搬送路Ｓに供給する。
【００５１】
また、レジストローラ１３は、シート搬送路Ｓを搬送されている記録シートＰを一旦保持するものである。そして、レジストローラ１３は、中間転写ベルト６１上のトナー像の先端と記録シートＰの先端を合わせるタイミングで記録シートＰを転写ローラ１０に搬送する。
【００５２】
定着ユニット７は、未定着トナー像を記録シートＰに定着するものであり、定着ローラとして作用するヒートローラ７１及び加圧ローラ７２を備えている。ヒートローラ７１は、回転駆動されることで、従動回転される加圧ローラ７２と共に記録シートＰを挟持しつつ記録シートＰを搬送するようになっている。また、ヒートローラ７１は、内側に設けられたヒータ７１ａによって加熱され、温度検出器７１ｂからの信号に基づき所定の定着温度に維持されるようになっている。ヒータ７１ａにより加熱されたヒートローラ７１は、加圧ローラ７２と共に記録シートＰに転写された多色トナー像を記録シートＰに熱圧着することにより、多色トナー像を溶融、混合、圧接して記録シートＰに対して熱定着させる。また、定着ユニット７には、ヒートローラ７１を外部から加熱するための外部加熱ベルト７３が設けられている。
【００５３】
このように構成された画像形成装置Ｄにおいて、記録シートＰにして片面印刷が要求されたときには、各給紙トレイ８１，８２から供給された記録シートＰは、シート搬送路Ｓに沿って設けられた第１搬送ローラ１２ａによってレジストローラ１３まで搬送され、記録シートＰの先端と中間転写ベルト６１上のトナー像の先端を整合するタイミングで転写ローラ１０によって搬送され、記録シートＰ上にトナー像が転写される。その後、記録シートＰは定着ユニット７を通過することによって記録シートＰ上の未定着トナーが熱で溶融、固着され、第２搬送ローラ１２ｂ及び排出ローラ３１を経て排出トレイ９１上に排出される。
【００５４】
また、記録シートＰに対して両面印刷が要求されたときには、前記した片面印刷が終了して定着ユニット７を通過した記録シートＰの後端が排出ローラ３１とシート搬送路Ｓの分岐部Ｓａとの間に位置する状態で、排出ローラ３１が逆回転することによって記録シートＰが第３及び第４搬送ローラ１２ｃ，１２ｄに導かれる。そして、レジストローラ１３を経て転写ニップに搬送されてきた記録シートＰは、裏面に印刷された後、排出トレイ９１に排出される。
【００５５】
なお、図１中に付した符号２０１ａ（原稿台ガラス）、符号２０３（ミラーユニット）、符号２０４（集光レンズ）、符号２０５（光電変換素子）、符号２１０（光源ユニット）、符号３００（自動原稿送り装置）については、次の「画像読取装置の全体構成」の項で説明する。
【００５６】
［画像読取装置の全体構成について］
図２は、図１に示す画像読取装置１００の概略断面図である。図１及び図２に示す画像読取装置１００は、縮小光学系タイプの画像読取装置とされており、原稿固定方式により原稿Ｇを固定して原稿画像を読み取り、かつ、原稿移動方式により原稿Ｇを移動させて原稿画像を読み取るように構成されている。
【００５７】
すなわち、画像読取装置１００は、原稿固定読取モードを実行する原稿固定読取構成（原稿固定読取機能）と原稿移動読取モードを実行する原稿移動読取構成（原稿移動読取機能）とを備えている。
【００５８】
原稿固定読取構成は、光源ユニット（光源部の一例）２１０を副走査読取方向Ｙ１に移動させつつ原稿台ガラス（原稿載置用透明体の一例）２０１ａ上に載置される原稿Ｇを、光源ユニット２１０により原稿台ガラス２０１ａを介して照明し、照明された原稿Ｇからの反射光を主走査方向Ｘに走査して原稿Ｇの画像を読み取る。なお、図２では光源ユニット２１０が原稿Ｇの画像を読み取る前に、原稿Ｇの読取領域αに対応する何れかの待機位置Ｖ１（具体的には原稿台ガラス２０１ａの下側における所定位置）に位置している状態を示している。
【００５９】
原稿移動読取構成は、原稿Ｇを自動的に搬送する自動原稿送り装置３００で原稿読取ガラス（原稿読取用透明体の一例）２０１ｂ上を通過するように搬送方向Ｙ３に搬送される原稿Ｇを、原稿読取部２００において原稿Ｇの読取位置Ｖ２に位置する光源ユニット２１０にて原稿読取ガラス２０１ｂを介して照明しつつ光源ユニット２１０により照明された原稿Ｇからの反射光を主走査方向Ｘに走査して原稿Ｇの画像を読み取る。
【００６０】
詳しくは、原稿読取部２００は、原稿台ガラス２０１ａ、光源ユニット２１０、光源ユニット２１０を移動させる光学系駆動部５３０（図１及び図２では図示せず、後述する図８参照）、ミラーユニット２０３、集光レンズ２０４、及びＣＣＤ等の光電変換素子（画像読取部の一例）２０５を備えており、これらの部材は枠体２０２内に収容されている。光源ユニット２１０は、原稿Ｇへ向けて光を照射する光源２１１と、原稿Ｇからの反射光をミラーユニット２０３へ導く第１ミラー２３０とを有している。なお、光源ユニット２１０についてはのちほど詳しく説明する。
【００６１】
原稿Ｇを載置する原稿台ガラス２０１ａは、透明なガラス板からなり、主走査方向Ｘの両端部が枠体２０２に載置されている。そして、自動原稿送り装置３００は、原稿押さえ部材として作用するようになっており、原稿押さえ板３１９を有している。原稿押さえ板３１９は、自動原稿送り装置３００の下面部材３００ａに設けられており、原稿台ガラス２０１ａ上に載置された原稿Ｇを上から押さえるようになっている。なお、自動原稿送り装置３００に代えて原稿押え板のみの構成であってもかまわない。
【００６２】
ミラーユニット２０３は、第２ミラー２０３ａ、第３ミラー２０３ｂ及び支持部材（図示せず）を備えている。支持部材は、第２ミラー２０３ａを、光源ユニット２１０における第１ミラー２３０からの光を反射して第３ミラー２０３ｂに導くように支持している。また、支持部材は、第３ミラー２０３ｂを、第２ミラー２０３ａからの光を反射して集光レンズ２０４に導くように支持している。集光レンズ２０４は、第３ミラー２０３ｂからの光を光電変換素子２０５の受光面２０５ｄに集光するものである。光電変換素子２０５は、集光レンズ２０４からの光（原稿画像光）を繰り返し主走査方向Ｘに走査し、その度に、１走査ラインのアナログ信号を出力する。
【００６３】
また、光学系駆動部５３０（図８参照）は、ここでは、図示しないスキャナモータ及び図示しないプーリー及びワイヤー等の移動機構を備えており、これらスキャナモータ及び移動機構によって、光源ユニット２１０を一定の速度で副走査方向Ｙに往復移動させると共に、ミラーユニット２０３を光源ユニット２１０の移動速度の１／２の移動速度で同じく副走査方向Ｙに往復移動させるように構成されている。
【００６４】
ここでは、原稿読取部２００は、原稿固定方式に加えて、原稿移動方式にも対応しており、原稿読取ガラス２０１ｂを備えている。従って、光学系駆動部５３０は、さらに、光源ユニット２１０を原稿読取ガラス２０１ｂの下側における原稿Ｇの読取位置Ｖ２（ホームポジション）に位置させるように構成されている。
【００６５】
自動原稿送り装置３００は、原稿Ｇを搬送するために載置する原稿トレイ３０１と、この原稿トレイ３０１の下方に配置される排出トレイ３０２と、これらの間を接続する搬送路３０３と、上流側搬送ローラ対３０４及び下流側搬送ローラ対３０５とからなる２つの搬送ローラ対とを備えている。
【００６６】
上流側搬送ローラ対３０４は、原稿読取ガラス２０１ｂを基準にして原稿Ｇを原稿Ｇの搬送方向Ｙ３において上流側で搬送する。下流側搬送ローラ対３０５は、原稿読取ガラス２０１ｂを基準にして原稿Ｇを原稿Ｇの搬送方向Ｙ３において下流側で搬送する。すなわち、上流側搬送ローラ対３０４、原稿読取ガラス２０１ｂ及び下流側搬送ローラ対３０５は、搬送方向Ｙ３に沿ってこの順に配設されている。また、原稿読取ガラス２０１ｂは、搬送路３０３の搬送壁を画するように略水平に設けられている。
【００６７】
自動原稿送り装置３００は、さらに、ピックアップローラ３０６と、サバキローラ３０７と、分離パッド等の分離部材３０８と、排出ローラ対３１０とを備えている。
【００６８】
ピックアップローラ３０６は、原稿トレイ３０１上に載置された原稿Ｇを原稿トレイ３０１から搬送方向Ｙ３に沿って搬送路３０３内へ送り出すものである。サバキローラ３０７は、ピックアップローラ３０６より搬送方向Ｙ３の下流側に配置されており、ピックアップローラ３０６にて送られてきた原稿Ｇを分離部材３０８と共に挟持しつつさらに搬送方向Ｙ３の下流側へ搬送するものである。分離部材３０８は、サバキローラ３０７に対峙された状態でサバキローラ３０７との間に搬送される原稿Ｇが１枚になるように原稿Ｇを捌く（分離する）ようになっている。
【００６９】
かかる構成を備えた自動原稿送り装置３００は、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送するようになっている。そして、サバキローラ３０７にて搬送される原稿Ｇを搬送路３０３にて案内して上流側搬送ローラ対３０４に向けて１枚ずつ供給するようになっている。
【００７０】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む駆動伝達手段３０９を介してサバキローラ３０７と同方向に回転するようにサバキローラ３０７に連結されている。ピックアップローラ３０６及びサバキローラ３０７は、原稿Ｇの読み取り要求がなされると、図示しない原稿供給駆動部にて原稿Ｇを搬送方向Ｙ３に搬送させる方向（図２中矢印Ｗ）に回転駆動されるようになっている。
【００７１】
搬送路３０３は、原稿Ｇをサバキローラ３０７から上流側搬送ローラ対３０４、原稿読取ガラス２０１ｂ、下流側搬送ローラ対３０５及び排出ローラ対３１０を経て排出トレイ３０２へ搬送するようにループ状に形成されている。排出ローラ対３１０は、下流側搬送ローラ対３０５よりも搬送方向Ｙ３の下流側に配設され、かつ、下流側搬送ローラ対３０５からの原稿Ｇを排出トレイ３０２へ排出するものである。なお、搬送ローラ対３０４，３０５、排出ローラ対３１０等の搬送系ローラは、図示しない搬送系の駆動部にて駆動されるようになっている。
【００７２】
また、本実施の形態においては、自動原稿送り装置３００は、原稿Ｇの副走査方向Ｙの載置位置を規定する原稿ガイド部材（具体的には原稿ガイド板）３１８をさらに備えている。原稿ガイド部材３１８は、原稿台ガラス２０１ａと原稿読取ガラス２０１ｂとの間に設けられている。換言すれば、原稿読取ガラス２０１ｂは、原稿ガイド部材３１８を間にして読取領域αとは反対側に設けられている。原稿ガイド部材３１８は、原稿台ガラス２０１ａ上に載置される原稿Ｇの副走査読取方向Ｙ１とは反対方向Ｙ２への移動を規制するようになっており、ここでは、光源２１１全体の光量のレベルを上げ下げする光量レベルを補正するときに読み取るための白基準部材を兼用している。白基準部材（具体的には白基準シート）３１８ａは、光源ユニット２１０の移動領域のうち、原稿Ｇの読取領域α以外の領域に設けられている。詳しくは、白基準部材３１８ａは、原稿ガイド部材３１８の下面に付設されている。白基準部材３１８ａは、ここでは、シェーディング補正を行うときにも読み取られる。
【００７３】
なお、図２中に付した符号２００ａ（原稿読取部２００の上面部材）、符号２１２（発光素子）、符号２１３（基板）については後ほど説明する。
【００７４】
以上説明した画像読取装置１００では、原稿固定方式による原稿Ｇの読み取り指示がなされた場合には、光源ユニット２１０は、待機位置Ｖ１からへ移行し、原稿ガイド部材３１８における白基準部材３１８ａの下側へ移行し、光量レベルの補正処理がなされた後、原稿台ガラス２０１ａ上に載置された原稿Ｇに対して光を、原稿台ガラス２０１ａを介して照射しながら一定の速度で副走査読取方向Ｙ１に移動して原稿Ｇの画像を走査し、それと同時にミラーユニット２０３は光源ユニット２１０の移動速度の１／２の移動速度で同じく副走査読取方向Ｙ１に移動する。
【００７５】
光源ユニット２１０にて照明されて原稿Ｇから反射された反射光は、光源ユニット２１０に設けられた第１ミラー２３０で反射したのち、ミラーユニット２０３の第２及び第３ミラー２０３ａ，２０３ｂによって１８０°光路変換される。第３ミラー２０３ｂから反射された光は、集光レンズ２０４を介して光電変換素子２０５の受光面２０５ｄに結像し、ここで原稿画像光が読み取られてアナログ信号に変換される。
【００７６】
一方、原稿移動方式による原稿Ｇの読み取り指示がなされた場合には、光源ユニット２１０が、待機位置Ｖ１から、原稿ガイド部材３１８における白基準部材３１８ａの下側へ移行し、光量レベル補正処理がなされた後、さらに、原稿Ｇの読取位置Ｖ２に移行し、読取位置Ｖ２に静止したまま、自動原稿送り装置３００によって原稿Ｇが読取位置Ｖ２の上部を通過するように搬送方向Ｙ３に搬送される。すなわち、原稿トレイ３０１に載置された原稿Ｇは、ピックアップローラ３０６によって取り出され、サバキローラ３０７及び分離部材３０８によって１枚ずつに分離され、搬送路３０３に搬送される。搬送路３０３に搬送された原稿Ｇは、上流側搬送ローラ対３０４によって、斜行防止のために先端が揃えられると共に、規定の読み取りタイミングで送り出され、表裏が反転されて原稿読取ガラス２０１ｂへと搬送される。
【００７７】
そして、原稿読取ガラス２０１ｂ上を通過した原稿Ｇの一方の面に、光源ユニット２１０からの光が原稿読取ガラス２０１ｂを介して照射されて該一方の面で反射される。この原稿Ｇの一方の面から反射された光は、前述の原稿固定方式と同様に第１ミラー２３０によって反射された後、ミラーユニット２０３の第２及び第３ミラー２０３ａ，２０３ｂによって１８０°光路変換され、集光レンズ２０４を介して光電変換素子２０５の受光面２０５ｄに結像し、ここで原稿画像が読み取られてアナログ信号に変換される。
【００７８】
読み取りが終了した原稿Ｇは、下流側搬送ローラ対３０５によって原稿読取ガラス２０１ｂ上から引き出され、搬送路３０３を介して、排出ローラ対３１０によって排出トレイ３０２上に排出される。
【００７９】
なお、本実施の形態に係る画像読取装置１００は等倍光学系タイプの画像読取装置であってもよい。
【００８０】
図３は、光源ユニット２１０の概略構成を示す図である。図３（ａ）は、その斜視図を示しており、図３（ｂ）は、その分解斜視図を示している。
【００８１】
本発明の実施形態に係る光源ユニット２１０は、基板（以下、光源基板という）２１３上に列設された複数の発光素子２１２，…からの光を原稿Ｇの光照射面Ｇｄに向けて照射するようになっている。
【００８２】
この光源ユニット２１０に備えられている光源２１１は、複数の発光素子２１２，…と、それを搭載する光源基板２１３とを備えている。複数の発光素子２１２，…は、何れも発光ダイオード（ＬＥＤ）素子とされている。なお、各発光素子は、同じタイプのものとされている。
【００８３】
複数の発光素子２１２，…は、原稿Ｇにおける主走査方向Ｘに延びる一定の光照射領域側に向けて光を照射するものである。この光照射領域が原稿Ｇの読取位置とされる。
【００８４】
本実施の形態では、複数の発光素子２１２，…は、光照射領域を間にして、主走査方向Ｘに直交する光照射面に沿った副走査方向Ｙの両側に列設されている。複数の発光素子２１２，…は、各光軸が主走査方向Ｘに対して直角になるように配置されている。
【００８５】
詳しくは、複数の発光素子２１２，…は、副走査方向Ｙの両側のうち、一方側には複数の第１発光素子２１２ａ，…が主走査方向Ｘに列設されており、他方側には複数の第２発光素子２１２ｂ，…が主走査方向Ｘに列設されている。すなわち、複数の発光素子２１２，…は、第１発光素子２１２ａ，…で構成される第１発光素子列と複数の第２発光素子２１２ｂ，…で構成される第２発光素子列との２列に配置されている。
【００８６】
光源基板２１３は、主走査方向Ｘに延びる第１及び第２光源基板２１３ａ，２１３ｂからなっている。第１光源基板２１３ａには、複数の第１発光素子２１２ａ，…が搭載され、第２光源基板２１３ｂには、複数の第２発光素子２１２ｂ，…が搭載されている。
【００８７】
また、本実施の形態では、複数の第１発光素子２１２ａ，…及び複数の第２発光素子２１２ｂ，…の各発光素子ピッチ（主走査方向Ｘにおける素子中心間の距離）Ｐは、何れも同一の距離とされている。さらに、第１発光素子列及び第２発光素子列において、第１発光素子２１２ａ，…及び第２発光素子２１２ｂ，…は、ピッチ位置が揃うように（同一ピッチ位置構成で）配列されている。第１発光素子２１２ａ，…及び第２発光素子２１２ｂ，…は、ここでは、同数とされている。
【００８８】
より具体的には、光源ユニット２１０は、発光素子アレイユニット２１５と、発光素子アレイユニット２１５が設けられたミラーベースユニット２１６とを備えている。
【００８９】
発光素子アレイユニット２１５は、第１発光素子２１２ａ，…と、第１光源基板２１３ａと、第２発光素子２１２ｂ，…と、第２光源基板２１３ｂと、第１光源基板２１３ａ及び第２光源基板２１３ｂが設けられた基台２１４とを備えている。
【００９０】
詳しくは、第１光源基板２１３ａ及び第２光源基板２１３ｂは、長手方向が主走査方向Ｘに向くように基台２１４に配置されている。基台２１４は、第１及び第２光源基板２１３ａ，２１３ｂを副走査方向Ｙに所定の間隔をあけて主走査方向Ｘ両端側でビス等の固定部材ＳＣにて固定している。こうして、第１発光素子２１２ａ，…と第２発光素子２１２ｂ，…とが、光照射領域を間にして、副走査方向Ｙの両側に主走査方向Ｘに沿ってそれぞれ列設されている。
【００９１】
基台２１４には、さらに、第１光源基板２１３ａと第２光源基板２１３ｂとの間において、原稿Ｇからの反射光を通過させるための主走査方向Ｘに沿って延びる開口（ここではスリット）Ｒが形成されている。このスリットＲは、原稿の読み取りの際には、原稿Ｇの読取位置である光照射領域の下方に配置される。第１発光素子列及び第２発光素子列は、スリットＲの短手方向の両側に配列されている。
【００９２】
ミラーベースユニット２１６には、第１ミラー２３０（図３（ｂ）参照）が設けられている。詳しくは、第１ミラー２３０は、原稿Ｇの光照射面で反射した光を基台２１４に設けられたスリットＲを介してミラーユニット２０３の第２ミラー２０３ａ（図２参照）に導くようにミラーベースユニット２１６の主走査方向Ｘに沿った開口２１６ａに挿通された状態で支持されている。
【００９３】
また、本実施の形態では、複数の第１発光素子２１２ａ，…及び複数の第２発光素子２１２ｂ，…は、それぞれ、搭載される第１光源基板２１３ａ及び第２光源基板２１３ｂの発光素子の配置面に対して光軸が平行になるように光を射出するサイド発光を行うようになっている。具体的には、第１発光素子２１２ａ，…を搭載した第１光源基板２１３ａと、第２発光素子２１２ｂ，…を搭載した第２光源基板２１３ｂとは、側面視において光軸の方向が光照射領域側へ向くように原稿Ｇ側とは反対側が開いた「ハの字」形に配置されている。なお、光照射領域は、第１光源基板２１３ａ及び第２光源基板２１３ｂの中間に位置している。
【００９４】
以上説明した光源ユニット２１０の構成では、複数の発光素子２１２，…は、光照射領域を間にして、副走査方向Ｙの両側に配列されているが、片側のみに配列されていてもよい。この場合、複数の発光素子２１２，…は、光照射領域を間に副走査方向Ｙの片側に配置された光源基板２１３に搭載されており、配置面に対して光軸が平行になるように光を射出するサイド発光を行う。具体的には、光源基板２１３は、光軸の方向が光照射領域側へ向くように傾斜配置される。
【００９５】
また、複数の発光素子２１２，…が両側に配列されているか或いは片側のみに配列されているかに拘わらず、搭載される光源基板２１３の配置面に対して光軸が垂直になるように光を射出する頂面発光を行ってもよい。この場合において、第１発光素子２１２ａ，…及び第２発光素子２１２ｂ，…が頂面発光を行う場合には、光軸の方向が光照射領域側へ向くように原稿Ｇ側が開いた逆「ハの字」形に第１光源基板２１３ａ及び第２光源基板２１３ｂを配置することができる。なお、光照射領域は、第１光源基板２１３ａ及び第２光源基板２１３ｂの中間に位置する。また、発光素子２１２，…が片側のみに配列されている場合には、光軸の方向が光照射領域側へ向くように光源基板２１３を傾斜配置することができる。
【００９６】
このように発光素子を配置構成することができるが、発光素子が両側で同一ピッチ位置構成に配列されている場合には、発光素子が片側のみに配列されている構成に比べて発光素子数を２倍して照度を倍増させることができる。
【００９７】
また、発光素子がサイド発光と頂面発光とのうち何れかの発光を行う場合、光源ユニット２１０内の構成部品の配置構成に応じて、サイド発光を行う構成と頂面発光を行う構成との使い分けを行うことで、光源ユニット２１０内の空いたスペースを有効に利用することができる。
【００９８】
［自動原稿送り装置の開閉検知構成について］
次に、自動原稿送り装置の開閉検知構成について説明する。図４及び図５は、それぞれ、自動原稿送り装置３００の開閉検知構成を説明するための概略斜視図及び概略側面図である。図４は、自動原稿送り装置３００が原稿読取部２００に対して開放している状態を正面斜め上方から視た図を示している。図５は、自動原稿送り装置３００の開閉状態を左側面から視た図を示している。
【００９９】
原稿読取装置１００は、既述のとおり、原稿を読み取るための光学ユニット２１０が原稿台ガラス２０１ａ及び原稿読取ガラス２０１ｂの下側で副走査方向Ｙに往復移動するようになっている。また、原稿読取ガラス２０１ｂの上に自動原稿送り装置３００が原稿読取部２００に対して開閉されることで、原稿台ガラス２０１ａ上に載置された原稿Ｇを原稿押さえ板３１９にて押さえるようになっている。
【０１００】
詳しくは、自動原稿送り装置３００は、原稿読取部２００に対して前側開きで回動自在に取り付けられており、原稿台ガラス２０１ａの上を開放することにより原稿Ｇを手置きで載置できるようになっている。すなわち、原稿読取装置１００は、自動原稿送り装置３００にて自動的に搬送される原稿Ｇ又は原稿台ガラス２０１ａ上に載置された原稿Ｇの画像を読み取ることが可能となっている。
【０１０１】
また、自動原稿送り装置３００は、原稿台ガラス２０１ａが設けられた原稿読取部２００の主走査方向Ｘ（奥行き方向）の背面側端部における幅走査方向Ｙ（副方向）の両側において、原稿読取部２００に対して幅走査方向Ｙに沿った回動軸回りに開閉可能となっている。これにより、自動原稿送り装置３００は、原稿台ガラス２０１ａに対して閉じた状態では原稿押さえ板３１９によって原稿Ｇを原稿台ガラス２０１ａに押さえつける一方、原稿台ガラス２０１ａに対して開いた状態では、原稿押さえ板３１９による原稿Ｇの原稿台ガラス２０１ａへの押さえつけを解除するようになっている。
【０１０２】
詳しくは、自動原稿送り装置３００は、原稿読取部２００の背面側における副走査方向Ｙの両側において一対の回動部材（具体的にはヒンジ部材）６１０，６１０によって取り付けられている。
【０１０３】
回動部材６１０，６１０は、装置本体Ｄｄに組み込まれた原稿読取部２００側に設けられる固定部６１１，６１１と、固定部６１１，６１１に対して回動自在とされ、かつ、自動原稿送り装置３００側に設けられる回動部６１２，６１２とを有している。固定部６１１，６１１は、原稿読取部２００の上面部材２００ａにビス等の固定部材ＳＣで固定されており、回動部６１２，６１２は、自動原稿送り装置３００の下面部材３００ａにビス等の固定部材ＳＣで固定されている。
【０１０４】
画像読取装置１００は、原稿読取部２００の正面側に設けられた操作部（具体的には操作パネル）２３０をさらに備えている。操作部２３０は、入力部２４０を有しており、入力部２４０にて装置全体の各種設定情報や各機能を動作させるための情報が入力されるようになっている。入力部２４０は、ここでは、複数の入力キー（ハードウェアキー）２４１を有し、ユーザー等のオペレータによりキー入力操作可能なキー入力操作部とされている。なお、操作部２３０は、画像形成装置Ｄの操作部としても作用する。
【０１０５】
また、操作部２３０は、表示部２５０を有しており、表示部２５０にて入力内容や装置全体の動作状況が表示されるようになっている。表示部２５０は、出力情報を表示することが可能な表示画面を有する表示パネルとされている。ここでは、表示部２５０の表示画面には、オペレータの入力を受け付けるタッチパネルが設けられている。このタッチパネルは、入力部として作用する。
【０１０６】
画像読取装置１００は、自動原稿送り装置３００が原稿読取部２００に対して閉じているか否かを検知する開閉検知部２６０（開閉検知手段の一例）をさらに備えている。
【０１０７】
［開閉検知部について］
図６は、原稿読取部２００に設けられた開閉検知部２６０の概略構成図である。図６（ａ）は、開閉検知部２６０の断面図を示している。図６（ｂ）は、開閉検知部２６０を下側から視た底面図を示している。
【０１０８】
図６に示すように、開閉検知部２６０は、アクチュエータ部２６１と、アクチュエータ部２６１に設けられた被検知部２６２と、被検知部２６２を検知するセンサ部２６３とを備えている。
【０１０９】
図６（ａ）に示すように、アクチュエータ部２６１は、上下方向Ｚに沿って移動自在とされ、かつ、上方向への付勢力が付与されるようになっている。詳しくは、アクチュエータ部２６１は、上下方向Ｚに長くなっており、かつ、上端部が自動原稿送り装置３００に当接する棒状の開閉検知レバー２６１ａと、開閉検知レバー２６１ａに設けられたストッパー部２６１ｂと、開閉検知レバー２６１ａを上方向へ付勢するための付勢部材２６１ｃ（具体的には圧縮スプリング）と、付勢部材２６１ｃを支持する支持部２６１ｄ（具体的には開閉検知レバー取り付けプレート）とを有している。
【０１１０】
原稿読取部２００の上面部材２００ａには、上下方向Ｚに沿った貫通孔２００ｂが設けられている。また、支持部２６１ｄは、上面部材２００ａの下方に間隔をおいて原稿読取部２００の枠体２０２（図２参照）に固定されている。支持部２６１ｄには、貫通孔２００ｂに対して上下方向Ｚに揃うように貫通孔２６１ｅが設けられている。
【０１１１】
開閉検知レバー２６１ａは、原稿読取部２００の上面部材２００ａに設けられた貫通孔２００ｂ及び支持部２６１ｄに設けられた貫通孔２６１ｅに対して上下方向Ｚに移動自在に挿通されている。開閉検知レバー２６１ａには、ストッパー部２６１ｂが固定されている。開閉検知レバー２６１ａに固定されたストッパー部２６１ｂは、上面部材２００ａと支持部２６１ｄとの間に配置されている。また、ストッパー部２６１ｂは、貫通孔２００ｂ，２６１ｅよりも大きいサイズのものとされており、貫通孔２００ｂ，２６１ｅを通過できないようになっている。これにより、ストッパー部２６１ｂは、開閉検知レバー２６１ａの上下方向Ｚの移動を規制できるようになっている。
【０１１２】
ストッパー部２６１ｂと支持部２６１ｄとの間には付勢部材２６１ｃが配置されている。具体的には、付勢部材２６１ｃは、開閉検知レバー２６１ａに挿通された状態で支持部２６１ｄに支持され、これにより、ストッパー部２６１ｂを上方へ付勢するようになっている。
【０１１３】
被検知部２６２は、開閉検知レバー２６１ａの支持部２６１ｄよりも下方位置において（具体的には開閉検知レバー２６１ａの下端部に）、開閉検知レバー２６１ａの軸線方向に直交する方向に突設されている。
【０１１４】
図６（ｂ）に示すように、センサ部２６３は、ここでは、照射部２６３ａ及び受光部２６３ｂを備えた透過型の光センサとされている。センサ部２６３は、支持部２６１ｄの下方に間隔をおいて原稿読取部２００の枠体２０２に固定されている。センサ部２６３は、照射部２６３ａから受光部２６３ｂに入射される入射光をアクチュエータ部２６１の上下移動に伴う被検知部２６２の移動によって被検知部２６２で遮断又は通過させることで、該入射光の有無を受光部２６３ｂで検知するようになっている。センサ部２６３は、主制御部４１０の入力系に接続されている（図８参照）。なお、センサ部２６３は、反射型の光センサであってもよい。
【０１１５】
本実施の形態では、開閉検知部２６０は、自動原稿送り装置３００の原稿押さえ板３１９が原稿読取部２００の上面部材２００ａに対して所定の角度θ（図５参照、例えば、２０度〜３０度程度、より好ましくは２０度〜２５度程度）で閉じることを検知（閉じ検知）する構成とされている。
【０１１６】
［原稿サイズ検知部について］
図７は、本実施の形態に係る画像読取装置１００を正面斜め上方から視た概略斜視図である。
【０１１７】
画像読取装置１００は、図７に示すように、原稿Ｇのサイズを検知する原稿サイズ検知部２７０（原稿サイズ検知手段の一例）をさらに備えている。原稿サイズ検知部２７０は、複数の原稿サイズセンサ２７１，２７２，２７３からなっており、原稿読取部２００の底面（ここでは枠体２０２の原稿台ガラス２０１ａと対向する面２０２ａ）に設けられている。原稿サイズ検知部２７０は、主制御部４１０の入力系に接続されている（図８参照）。
【０１１８】
詳しくは、原稿サイズセンサ２７１は、副走査方向Ｙの原稿Ｇのサイズを検出する光学センサとされており、原稿サイズセンサ２７２，２７３は、主走査方向Ｘの原稿Ｇのサイズを検出する光学センサとされている。原稿サイズセンサ２７１，２７２，２７３は、原稿Ｇからの反射光を検出する反射型光学センサとされている。原稿サイズセンサ２７１，２７２，２７３は、所定の光（例えば赤外光）を照射する照射部Ｓ１，Ｓ２，Ｓ３と、原稿Ｇからの反射光を受光する受光部Ｒ１，Ｒ２，Ｒ３とを備えている。
【０１１９】
［原稿有無検知部について］
画像読取装置１００は、図７に示すように、原稿Ｇが原稿台ガラス２０１ａ上に載置されているか否かを検知する原稿有無検知部２８０（原稿有無検知手段の一例）をさらに備えている。原稿有無検知部２８０は、原稿有無センサ２８１で構成されており、原稿読取部２００の底面（ここでは枠体２０２の原稿台ガラス２０１ａと対向する面２０２ａ）の原稿台ガラス２０１ａ上に載置される全サイズの原稿Ｇを検知できる位置に設けられている。原稿有無検知部２８０は、主制御部４１０の入力系に接続されている（図８参照）。
【０１２０】
詳しくは、原稿有無センサ２８１は、全サイズの原稿Ｇの有無を検出する光学センサとされている。原稿有無センサ２８１は、原稿Ｇからの反射光を検出する反射型光学センサとされている。原稿有無センサ２８１は、所定の光（例えば赤外光）を照射する照射部Ｓ４と、原稿Ｇからの反射光を受光する受光部Ｒ４とを備えている。
【０１２１】
［画像読取装置の制御構成について］
図８は、本実施の形態に係る画像読取装置１００の制御系の概略構成を示す図であって、画像読取装置１００における制御部４００を中心に示す制御ブロック図である。
【０１２２】
図８に示すように、本実施の形態に係る画像読取装置１００は、さらに、画像読取装置１００全体の制御を司る制御部４００と、信号処理部５１０と、記憶手段として作用する記憶部５２０とを備えている。
【０１２３】
制御部４００は、主制御部４１０と、原稿読取制御部４２０と、画像処理部４３０と、発光素子制御部４４０と、光量補正制御手段として作用する光量補正制御部４５０と、比較手段として作用する比較部４６０と、駆動制御部４７０とを備えている。
【０１２４】
主制御部４１０は、自動原稿送り装置３００の原稿押さえ板３１９が原稿読取部２００の上面部材２００ａに対して開いているときには、開閉検知部２６０におけるセンサ部２６３から原稿押さえ板３１９が開いている（受光している）ことを示すセンサ出力信号（具体的にはＯＮ信号）が送信される。一方、主制御部４１０は、原稿押さえ板３１９が上面部材２００ａに対して閉じているときには、センサ部２６３から原稿押さえ板３１９が閉じている（受光していない）ことを示すセンサ出力信号（具体的にはＯＦＦ信号）が送信される。主制御部４１０は、センサ部２６３から受けた原稿押さえ板３１９が開いている又は閉じていることを示すセンサ出力信号（例えばＯＦＦ信号又はＯＮ信号）によって、原稿押さえ板３１９の開閉を検出できるようになっている。
【０１２５】
また、主制御部４１０は、原稿サイズセンサ２７１，２７２，２７３における照射部Ｓ１，Ｓ２，Ｓ３から原稿台ガラス２０１ａへ光を照射し、原稿台ガラス２０１ａ上に原稿Ｇが有る場合（受光部Ｒ１，Ｒ２，Ｒ３が原稿Ｇからの反射光を受光した場合）には、受光部Ｒ１，Ｒ２，Ｒ３から原稿Ｇが有る（受光している）ことを示すセンサ出力信号（具体的にはＯＮ信号）が送信される。一方、主制御部４１０は、原稿台ガラス２０１ａ上に原稿Ｇが無い場合（受光部Ｒ１，Ｒ２，Ｒ３が原稿Ｇからの反射光を受光しない場合）には、受光部Ｒ１，Ｒ２，Ｒ３から原稿Ｇが無い（受光していない）ことを示すセンサ出力信号（具体的にはＯＦＦ信号）を送信される。主制御部４１０は、受光部Ｒ１，Ｒ２，Ｒ３から受けた原稿Ｇの有り又は無しを示すセンサ出力信号（具体的にはＯＮ信号又はＯＦＦ信号）によって、原稿Ｇのサイズを判定するようになっている。
【０１２６】
また、主制御部４１０は、原稿有無センサ２８１における照射部Ｓ４から原稿台ガラス２０１ａへ光を照射し、原稿台ガラス２０１ａ上に原稿Ｇが有る場合（受光部Ｒ４が原稿Ｇからの反射光を受光した場合）には、受光部Ｒ４から原稿Ｇは有る（受光している）ことを示すセンサ出力信号（具体的にはＯＮ信号）が送信される。一方、主制御部４１０は、原稿台ガラス２０１ａ上に原稿Ｇが無い場合（受光部Ｒ４が原稿Ｇからの反射光を受光しない場合）には、受光部Ｒ４から原稿Ｇが無い（受光していない）ことを示すセンサ出力信号（具体的にはＯＦＦ信号）が送信される。主制御部４１０は、受光部Ｒ４から受けた原稿Ｇが有り又は無しを示すセンサ出力信号（具体的にはＯＮ信号又はＯＦＦ信号）によって、原稿Ｇの有無を検出するようになっている。
【０１２７】
主制御部４１０は、既述の開閉検知部２６０のセンサ部２６３、原稿サイズ検知部２７０、原稿有無検知部２８０に加えて、原稿読取制御部４２０、画像処理部４３０、発光素子制御部４４０、光量補正制御部４５０、比較部４６０、駆動制御部４７０、信号処理部５１０及び記憶部５２０に接続されている。
【０１２８】
詳しくは、主制御部４１０は、ＣＰＵ等の処理部４１０ａと、ＲＯＭ及びＲＡＭ等のメモリを含む記憶部４１０ｂとを含むマイクロコンピュータからなっている。画像読取装置１００は、主制御部４１０の処理部４１０ａが記憶部４１０ｂのＲＯＭに予め格納された制御プログラムを記憶部４１０ｂのＲＡＭ上にロードして実行することにより、各種構成要素を制御するようになっている。なお、主制御部４１０は、画像形成装置Ｄに設けられた画像形成動作全体を制御する制御部（図示せず）にて指示されるようになっている。
【０１２９】
原稿読取制御部４２０は、主制御部４１０からの指示信号に基づき、光電変換素子２０５による原稿Ｇの読み取り動作を制御する。
【０１３０】
信号処理部５１０は、光電変換素子２０５に接続されており、主制御部４１０からの指示信号に基づき、光電変換素子２０５からの信号を処理する。信号処理部５１０は、ここでは、アナログフロントエンド（ＡＦＥ）ＩＣとされており、光電変換素子２０５からの出力信号（撮像信号）に対して各種の信号処理を行う。例えば、信号処理部５１０は、光電変換素子２０５からのアナログ信号を増幅し、該増幅されたアナログ信号をデジタル信号（ここでは８ビットデジタル画像信号）に変換する。
【０１３１】
画像処理部４３０は、主制御部４１０からの指示信号に基づき、Ａ／Ｄ変換されたデジタル信号に対して各種の画像処理を行うものであり、ここでは、画像処理用ＡＳＩＣ（Application Specific Integrated Circuit）とされている。また、画像処理部４３０は、画像形成装置Ｄの電源オン時にシェーディング補正を行うようになっている。シェーディング補正は、発光素子２１２（１）〜２１２（ｎ）の部品のバラツキや光学系の集光特性により主走査方向Ｘにおける光量のばらつきを補正する。シェーディング補正は、ここでは、原稿ガイド部材３１８における白基準部材３１８ａの光電変換素子２０５による読取値に基づいてＡ／Ｄ変換されたデジタル信号を一定の値にすることでなされる。
【０１３２】
なお、本実施の形態では、画像形成装置Ｄの電源オン時にシェーディング補正を行うようになっているが、閉じ検知時（原稿押さえ板３１９を閉じる毎）に行うようになってもよい。
【０１３３】
発光素子制御部４４０は、光源２１１における発光素子２１２（１）〜２１２（ｎ）に接続されており、主制御部４１０からの指示信号に基づき、複数の発光素子２１２（１）〜２１２（ｎ）を発光素子毎に個別に駆動可能とされている。なお、ｎは発光素子の個数であり、ここでは６以上の整数である。
【０１３４】
詳しくは、発光素子２１２（１）〜２１２（ｎ）は、直列に接続されており、該直列に接続された発光素子２１２（１）〜２１２（ｎ）の両側の端子が発光素子制御部４４０に接続されている。発光素子制御部４４０は、主制御部４１０接続されており、主制御部４１０からの指示信号によって、個々の発光素子２１２（１）〜２１２（ｎ）のオン／オフタイミングを発光素子毎に制御する。
【０１３５】
発光素子制御部４４０は、個々の発光素子２１２（１）〜２１２（ｎ）を駆動する点灯制御部（点灯制御手段の一例）４４１と、個々の発光素子２１２（１）〜２１２（ｎ）の光量を調整する光量制御部（光量制御手段の一例）４４２とを備えている。点灯制御部は、ここでは、発光素子コントロールドライバーとされている。
【０１３６】
点灯制御部４４１は、発光素子２１２（１）〜２１２（ｎ）毎に或いは連続する複数の発光素子２１２（１）〜２１２（ｉ），２１２（ｉ＋１）〜２１２（ｊ），２１２（ｊ＋１）〜２１２（ｋ），２１２（ｋ＋１）〜２１２（ｌ），２１２（ｌ＋１）〜２１２（ｍ），２１２（ｍ＋１）〜２１２（ｎ）からなる発光素子ブロックＢＬ（１）〜ＢＬ（ｈ）毎に（後述する図１０及び図１１参照）点灯及び消灯の制御を行うようになっている。なお、符号２１２の添字ｉ，ｊ，ｋ，ｌ，ｍは、１≦ｉ、ｉ＋１≦ｊ、ｊ＋１≦ｋ、ｋ＋１≦ｌ、ｌ＋１≦ｍ、ｍ＋１≦ｎの条件を満たす整数である。また、符号ＢＬの添字ｈ（ブロック数）は、ここでは６以上の整数（図１０及び図１１の例では６ブロック）である。
【０１３７】
各発光素子ブロックは、発光素子ブロック毎の発光素子の個数が等しくなるように分けられていてもよいし、図１０及び図１１の例のように、原稿Ｇの主走査方向Ｘのサイズ（長さ）毎に分けられていてもよい。特に、各発光素子ブロックは、原稿領域（原稿領域の近傍を含む）内の発光素子の点灯、原稿領域以外の消灯を行うことができるように分けられていることが好ましい。
【０１３８】
光量制御部４４２は、ここでは、調光回路４４２（１），…，４４２（ｎ）からなっている。点灯制御部４４１は、主制御部４１０に接続されている。個々の発光素子２１２（１）〜２１２（ｎ）は、一端子が点灯制御部４４１に接続され、かつ、他端子が光量制御部４４２（調光回路４４２（１），…，４４２（ｎ））にそれぞれ接続されている。
【０１３９】
光量制御部４４２（調光回路４４２（１），…，４４２（ｎ））は、主制御部４１０に接続されている。なお、調光回路は、発光素子ブロックＢＬ（１）〜ＢＬ（ｈ）毎に設けられていてもよい。
【０１４０】
光量補正制御部４５０は、入力側で主制御部４１０に接続され、出力側で光量制御部４４２に接続されている。光量補正制御部４５０は、開閉検知部２６０による閉じ検知時（原稿押さえ板３１９を閉じる毎）に光量レベル補正を行うようになっている。光量レベル補正は、発光素子２１２（１）〜２１２（ｎ）の経時変化や温度等による光量低下に対して光量の変化を補正する。光量レベル補正は、ここでは、原稿ガイド部材３１８における白基準部材３１８ａの光電変換素子２０５による読取値に基づいて所定の光量になるように光量制御部４４２の発光素子２１２（１）〜２１２（ｎ）への電圧を制御することでなされる。なお、白基準部材３１８ａの基準読取値Ｌｉは、原稿Ｇの画像を読み取るときに発光する光源２１１の発光光量での基準となる値であり、予め記憶部５２０（図８参照）に記憶されている。基準読取値Ｌｉは、工場出荷時に画像読取装置毎に測定された測定値であってもよいし、設計上規格された規定値であってもよい。
【０１４１】
光量補正制御部４５０は、原稿Ｇの画像を読み取るときの発光光量よりも少なくした発光素子２１２（１）〜２１２（ｎ）の発光光量を用いて原稿Ｇの画像を読み取るときの発光光量の補正制御を行う構成とされている。
【０１４２】
詳しくは、光量補正制御部４５０は、比較部４６０で算出した算出値に基づいて原稿Ｇの画像を読み取るときに発光する発光素子２１２（１）〜２１２（ｎ）の発光光量の光量補正制御を行う。本実施の形態では、原稿Ｇの画像を読み取るときの発光光量よりも少なくした発光光量の補正精度を向上させるという観点から、次のような光量補正制御を行うことが好ましい。
【０１４３】
すなわち、比較部４６０は、原稿Ｇの画像を読み取るときの発光光量よりも少なくした発光素子２１２（１）〜２１２（ｎ）の発光光量での白基準部材３１８ａの光電変換素子２０５による読取値Ｌｃと、記憶部５２０にて予め記憶されている基準読取値Ｌｉ及び読取値Ｌｓ，Ｌｃに基づき算出した低光量用基準読取値Ｌｉｘとを比較する。
【０１４４】
光量補正制御部４５０は、比較した比較結果に基づいて光量制御部４４２にて原稿Ｇの画像を読み取るときに発光する発光素子２１２（１）〜２１２（ｎ）の発光光量の光量補正制御を行う。具体的には、光量補正制御部４５０は、原稿Ｇの画像を読み取るときに発光する光源２１１の発光光量での白基準部材３１８ａの光電変換素子２０５による読取値をＬｓとしたとき、基準読取値Ｌｉ及び読取値Ｌｓ，Ｌｃに基づく式［（Ｌｃ／Ｌｓ）×Ｌｉ］で算出した算出値に基づいて、原稿Ｇの画像を読み取るときに発光する光源２１１の発光光量の光量補正制御を行う構成とされている。なお、原稿Ｇの画像を読み取るときの発光光量での白基準部材３１８ａの読取値Ｌｓは、閉じ検知時（原稿押さえ板３１９を閉じる毎）に原稿Ｇの画像を読み取るときよりも少ない発光光量での白基準部材３１８ａの読取値Ｌｃを読み取るときに読み取るようにしてもよいし、原稿Ｇの画像を読み取るときに記憶部５２０（図８参照）に記憶するようにしてもよい。
【０１４５】
詳しくは、光量補正制御部４５０は、原稿Ｇの画像を読み取るときの発光光量よりも少なくした発光素子２１２（１）〜２１２（ｎ）の発光光量での白基準部材３１８ａの低光量用基準読取値Ｌｉｘとして、［（Ｌｃ（例えば８ビットデジタル値１６０）／Ｌｓ（例えば８ビットデジタル値２００））×Ｌｉ（例えば８ビットデジタル値２４０）］の式で算出した算出値（例えば１９２）を用いて光量補正制御を行う構成とされている。
【０１４６】
具体的には、主制御部４１０は、読取値Ｌｃ（例えば１６０）と低光量用基準読取値Ｌｉｘ（例えば１９２）とを比較部４６０に渡す。比較部４６０は、受け取った読取値Ｌｃ（例えば１６０）に対する低光量用基準読取値Ｌｉｘ（例えば１９２）の比率（例えば１９２／１６０＝１．２）を計算し、主制御部４１０に返す。主制御部４１０は、受け取った比率（例えば１．２）を光量補正制御部４５０に渡す。光量補正制御部４５０は、発光素子２１２（１）〜２１２（ｎ）の発光光量が現在の光量レベル（ここでは電圧）に対して、受け取った比率（例えば１．２）を掛け合わせた光量レベルになるように光量制御部４４２に指示する。
【０１４７】
駆動制御部４７０は、主制御部４１０からの読取命令に基づいて光学系駆動部５３０の動作を制御する。すなわち、駆動制御部４７０は、主制御部４１０から原稿読取制御部４２０に対して読取命令が出力されると、光学系駆動部５３０に駆動開始信号を出力する。光学系駆動部５３０は、駆動開始信号に基づいてスキャナモータ（図示せず）に駆動電圧を印加する。スキャナモータは、光源ユニット２１０とミラーユニット２０３とで構成されるスキャナユニットの往復移動動作の駆動源である。これによってスキャナモータが回転し、スキャナユニットが副走査方向Ｙに往復移動する。本実施の形態では、スキャナモータとしてとしてステッピングモータを使用している。
【０１４８】
図９は、原稿Ｇのサイズ及び有無の判定を説明するための図である。図９（ａ）は、原稿サイズセンサ２７１，２７２，２７３の配置構成を平面から視た概略平面図を示している。図９（ｂ）は、原稿サイズセンサ２７１，２７２，２７３の受光部Ｒ１，Ｒ２，Ｒ３による受光の有無を表した設定テーブルＴＬ１を示している。図９（ｃ）は、原稿有無センサ２８１の受光部Ｒ４による受光の有無を表した設定テーブルＴＬ２を示している。なお、図９（ａ）において、符号Ｂ５，Ａ４は、ぞれぞれ、Ｂ５サイズ及びＡ４サイズの原稿Ｇを長手方向が主走査方向Ｘに沿うように配置した状態を示しており、符号Ｂ５Ｒ，Ａ４Ｒ，Ｂ４，Ａ３は、ぞれぞれ、Ｂ５サイズ、Ａ４サイズ、Ｂ４サイズ及びＡ３サイズの原稿Ｇを長手方向が副走査方向Ｙに沿うように配置した状態を示している。このことは、後述する図１０についても同様である。
【０１４９】
図９（ａ）に示す例では、原稿台ガラス２０１ａに載置された原稿Ｇは、読取領域αの副走査方向読取方向Ｙ１の上流側（図９（ａ）の左側）端及び主走査方向Ｘの一方側（図９（ａ）の上側）端の双方を基準として位置決めされる。
【０１５０】
図９（ｂ）に示すように、原稿サイズセンサ２７１は、原稿Ｇが符号Ｂ５Ｒ，Ｂ５，Ａ４の配置状態では原稿無し（受光していないこと）を示す信号を受光部Ｒ１にて出力し、且つ、それ以外の配置状態では原稿有り（受光していること）を示す信号を受光部Ｒ１にて出力する位置に設けられている。原稿サイズセンサ２７２は、原稿Ｇが符号Ｂ５Ｒ，Ａ４Ｒの配置状態では原稿無しを示す信号を出力し、且つ、それ以外の配置状態では原稿有りを示す信号を出力する位置に設けられている。原稿サイズセンサ２７３は、原稿Ｇが符号Ｂ５Ｒ，Ｂ５，Ｂ４，Ａ４Ｒの配置状態では原稿無しを示す信号を出力し、且つ、それ以外の配置状態では原稿有りを示す信号を出力する位置に設けられている。
【０１５１】
主制御部４１０は、図９（ｂ）に示す設定テーブルＴＬ１を用いて判定することができる。設定テーブルＴＬ１は、予め記憶部５２０（図８参照）に記憶されている。
【０１５２】
図９（ｃ）に示すように、原稿有無センサ２８１は、原稿Ｇの配置状態に関わらず、原稿Ｇが原稿台ガラス２０１ａ上に位置決めされた状態で載置されていれば、原稿有りを示す信号を出力する位置に設けられている。
【０１５３】
主制御部４１０は、図９（ｃ）に示す設定テーブルＴＬ２を用いて判定することができる。設定テーブルＴＬ２は、予め記憶部５２０（図８参照）に記憶されている。
【０１５４】
なお、原稿サイズ検知部２７０は、Ｂ５Ｒサイズ以外のサイズでは、原稿有無検知部２８０がない場合でも原稿有無検知部として作用することができる。また、原稿サイズ検知部２７０は、全サイズの原稿Ｇの有無を検知できるように原稿サイズセンサの検知パターンを工夫することによって原稿有無検知部を兼用してもよい。これについては、従来公知の手法で行うことができ、ここでは詳しい説明は省略する。
【０１５５】
ところで、開閉検知部２６０による閉じ検知は、既述したように、原稿押さえ板３１９が上面部材２００ａに対して角度θ（具体的には２０度〜３０度程度）になるときに設定されているが、これは、書籍のように綴じられた原稿Ｇ（ブック原稿）を載置したときでも、原稿Ｇのサイズ、有り無しが検出できるようにするためである。すなわち、原稿押さえ板３１９が上面部材２００ａに対してほぼ閉じたとき或いは完全に閉じたとき（角度θが数度程度或いは０度となったとき）に閉じ検知とすると、ブック原稿の場合には、原稿押さえ板３１９が少し開いた状態となるために、本来はこの状態で閉じ検知すべきところ、閉じ検知できない場合があるからである。
【０１５６】
このように、閉じ検知のときに原稿押さえ板３１９が上面部材２００ａに対して少し開いた状態では、光源２１１からの光は、原稿台ガラス２０１ａや原稿読取ガラス２０１ｂを介してオペレータの目に入りやすい。
【０１５７】
待機状態の画像読取装置１００では、光源ユニット２１０が、原稿Ｇの読取領域α（図２参照）に対応する何れかの位置（ここでは、原稿台ガラス２０１ａの下方における原稿ガイド部材３１８の近傍の待機位置Ｖ１）に消灯させた状態で停止している。そして、開いた状態の原稿押さえ板３１９が開閉検知部２６０にて閉じていること検知（閉じ検知）すると、この閉じ検知をトリガにして、安定した光量レベルの補正を行うために、待機位置Ｖ１に位置する光源ユニット２１０の光源２１１を点灯させつつ原稿ガイド部材３１８における白基準部材３１８ａの下側の位置へ移動させる。つまり、画像読取装置１００では、原稿押さえ板３１９が上面部材２００ａに対して少し開いた閉じ検知時（原稿押さえ板３１９を閉じる毎）に、光源ユニット２１０の光源２１１の点灯光が、原稿押さえ板３１９と原稿台ガラス２０１ａや原稿読取ガラス２０１ｂとの間から漏れやすい。そうすると、オペレータに対して眩しく感じさせることになる。
【０１５８】
この点、主制御部４１０は、開閉検知部２６０にて原稿押さえ板３１９が閉じていることを検出した場合に、原稿Ｇの画像の読み取り動作に先立って点灯制御部４４１にて発光素子２１２（１）〜２１２（ｎ）を点灯させるときには、発光素子２１２（１）〜２１２（ｎ）の全体の発光光量を、原稿Ｇの画像を読み取るときの発光光量よりも少なくするように光量制御部４４２にて制御する構成とされている。
【０１５９】
本実施の形態に係る画像読取装置１００によれば、発光素子２１２（１）〜２１２（ｎ）の全体の発光光量を、原稿Ｇの画像を読み取るときの発光光量よりも少なくするので、原稿台ガラス２０１ａ上に載置された原稿Ｇの外側にはみ出した部分を含む発光素子２１２（１）〜２１２（ｎ）の全体の発光光量をオペレータに眩しく感じにくい程度の光量にでき、これにより、オペレータが光源２１１を見る方向に関わらず光源２１１からの光（特に、原稿台ガラス２０１ａ上に載置された原稿Ｇの外側にはみ出した光源２１１からの光）によりオペレータに眩しく感じさせることを軽減させることが可能となる。
【０１６０】
また、原稿Ｇの画像を読み取るときよりも少ない発光光量での白基準部材３１８ａの読取値Ｌｃと、記憶部５２０にて予め記憶されている基準読取値Ｌｉから読取値Ｌｓ，Ｌｃを用いて算出した低光量用基準読取値Ｌｉｘとを比較し、比較した比較結果に基づいて光量制御部４４２にて原稿Ｇの画像を読み取るときに発光する発光素子の発光光量の光量補正制御を行うので、該光量補正制御を確実に行うことができると共に、例えば、原稿Ｇの画像を読み取るときの発光光量よりも少なくした発光光量とそれに対応する基準読取値とを用いて補正する場合よりも該光量補正制御の補正精度を向上させることができる。しかも、［（Ｌｃ／Ｌｓ）×Ｌｉ］といった簡単な計算式で光量補正制御を行うことで、それだけ光量補正のための制御構成を簡素化することが可能となる。
【０１６１】
本実施の形態では、主制御部４１０は、開閉検知部２６０にて原稿押さえ板３１９が閉じていることを検出した場合に、原稿Ｇの画像の読み取り動作に先立って点灯制御部４４１にて発光素子２１２（１）〜２１２（ｎ）を点灯させるときには、光源ユニット２１０を原稿読取ガラス２０１ｂの下側へ向けて移動させながら発光素子２１２（１）〜２１２（ｎ）からの光を白基準部材３１８ａに照射して白基準部材３１８ａを光電変換素子２０５で読み取り、光源ユニット２１０が原稿読取ガラス２０１ｂに達する前に発光素子２１２（１）〜２１２（ｎ）を消灯させる構成とされている。
【０１６２】
かかる構成を備えた画像読取装置１００では、光源ユニット２１０が原稿読取ガラス２０１ｂに達する前に発光素子２１２（１）〜２１２（ｎ）を消灯させるので、原稿読取ガラス２０１ｂに対応する領域において光源２１１からの光によりオペレータに眩しく感じさせることを回避することが可能となる。
【０１６３】
なお、本実施の形態において、開閉検知部２６０にて原稿押さえ板３１９が閉じていることを検出した場合であって、原稿有無検知部２８０にて原稿Ｇが原稿台ガラス２０１ａ上に載置されていないことを検出した場合に、原稿Ｇの画像の読み取り動作に先立って点灯制御部４４１にて発光素子２１２（１）〜２１２（ｎ）を点灯させるときには、発光素子２１２（１）〜２１２（ｎ）の全部を点灯させてもよい。こうすることで、原稿Ｇが原稿台ガラス２０１ａ上に載置されていない場合に、発光素子２１２（１）〜２１２（ｎ）の発光光量が原稿Ｇの画像を読み取るときの発光光量よりも少ないことで、原稿Ｇがない（原稿Ｇのサイズが検出できない）ために発光素子２１２（１）〜２１２（ｎ）の全部を点灯させても、オペレータに眩しく感じさせることを軽減させることができる。
【０１６４】
また、主制御部４１０は、開閉検知部２６０にて原稿押さえ板３１９が閉じていることを検出した場合であって、原稿有無検知部２８０にて原稿Ｇが原稿台ガラス２０１ａ上に載置されていないことを検出した場合に、発光素子２１２（１）〜２１２（ｎ）の発光光量を、原稿Ｇの画像を読み取るときの発光光量よりも少なくするように光量制御部４４２にて制御する構成とされていてもよい。こうすることで、原稿Ｇが原稿台ガラス２０１ａ上に載置されていない場合に、発光素子２１２（１）〜２１２（ｎ）の発光光量を、原稿Ｇの画像を読み取るときの発光光量よりも少なくするので、原稿Ｇが原稿台ガラス２０１ａ上に載置されていない状態での発光素子２１２（１）〜２１２（ｎ）の発光光量をオペレータに眩しく感じにくい程度の光量にでき、これにより、原稿Ｇが原稿台ガラス上に載置されていないときに、光源２１１からの光によりオペレータに眩しく感じさせることを軽減させることが可能となる。しかも、原稿Ｇが原稿台ガラス２０１ａ上に載置されていないために原稿Ｇの画像を読み取らない場合に光量補正制御を行っておくことで、例えば、その後に原稿移動読取モードで原稿Ｇの画像を読み取るときに光量補正制御を行わない場合であっても、閉じ検知時（原稿押さえ板３１９を閉じる毎）補正した光量によって精度良く原稿Ｇの画像を読み取ることが可能となる。
【０１６５】
また、主制御部４１０は、開閉検知部２６０にて原稿押さえ板３１９が閉じていることを検出した場合であって、原稿Ｇの画像の読み取り動作に先立って点灯制御部４４１にて発光素子２１２（１）〜２１２（ｎ）を点灯させるときには、発光素子２１２（１）〜２１２（ｎ）又は発光素子ブロックＢＬ（１）〜ＢＬ（ｈ）の一部を点灯させてもよい。こうすることで、原稿台ガラス２０１ａ上に載置された原稿Ｇの外側にはみ出して発光する光源２１１のはみ出し量を減らすことができ、これにより、原稿台ガラス２０１ａ上に載置された原稿Ｇの外側にはみ出した光源２１１からの光によりオペレータに眩しく感じさせることをさらに軽減させることが可能となる。
【０１６６】
このように、発光素子２１２（１）〜２１２（ｎ）又は発光素子ブロックＢＬ（１）〜ＢＬ（ｈ）の一部を点灯させる場合、例えば、発光させる発光素子は、原稿領域内に対応する光電変換素子２０５の最大有効画素のうち、主走査方向Ｘにおけるセンターの画素が受光し得る発光素子であることが好ましい。
【０１６７】
発光させる発光素子からの光を受光し得る画素の画素数として１００画素（６００ｄｐｉの読取解像度であれば、約４．２ｍｍ幅）程度に受光させるのに適した発光素子の個数は、２個程度であることが好ましい、さらに、マージンをみて３個〜４個程度であってもよい。
【０１６８】
ここで、発光させる発光素子からの光を受光し得る画素の画素数を１００画素としたのは、白基準部材３１８ａを光電変換素子２０５で読み取ったときの光量を補正するには全画素の読取データを使用する必要はないからであり、本実施の形態のように１００画素のデータがあれば十分だからである。
【０１６９】
また、主制御部４１０は、開閉検知２６０にて原稿押さえ板３１９が閉じていることを検出した場合に、原稿Ｇの画像の読み取り動作に先立って点灯制御部４４１にて発光素子２１２（１）〜２１２（ｎ）又は発光素子ブロックＢＬ（１）〜ＢＬ（ｈ）を点灯させるときには、原稿サイズ検知部２７０にて検出した原稿Ｇのサイズの検出結果に基づいて、点灯制御部４４１にて光源ユニット２１０における発光素子２１２（１）〜２１２（ｎ）又は発光素子ブロックＢＬ（１）〜ＢＬ（ｈ）のうち、原稿Ｇのサイズに対応する原稿領域の発光素子又は発光素子ブロックを点灯させる一方、該原稿領域以外の発光素子又は発光素子ブロックを消灯させる構成とされていてもよい。
【０１７０】
図１０及び図１１は、原稿Ｇのサイズの検出結果に基づいて発光素子２１２（１）〜２１２（ｎ）又は発光素子ブロックＢＬ（１）〜ＢＬ（ｈ）の点灯及び消灯パターンの一例を説明するための図である。図１０は、光源２１１における光源基板２１３上の発光素子２１２（１）〜２１２（ｎ）と原稿Ｇのサイズとの位置関係を示す概略平面図である。図１１は、発光素子２１２（１）〜２１２（ｎ）又は発光素子ブロックＢＬ（１）〜ＢＬ（ｈ）の点灯及び消灯を表した設定テーブルＴＬ３を示している。なお、発光素子ブロックは、発光素子の個数が１個のものを含んでいてもよいが、図１０の例では２個以上として示している。
【０１７１】
図１０及び図１１に示すように、発光素子２１２（１）〜２１２（ｎ）又は発光素子ブロックＢＬ（１）〜ＢＬ（ｈ）は、次のような点灯及び消灯動作がなされる。すなわち、
原稿ＧのサイズがＢ５Ｒの場合には、発光素子２１２（１）〜２１２（ｉ）（発光素子ブロックＢＬ（１））及び発光素子２１２（ｊ＋１）〜２１２（ｎ）（発光素子ブロックＢＬ（３）〜ＢＬ（６））を消灯させ、発光素子２１２（ｉ＋１）〜２１２（ｊ）（発光素子ブロックＢＬ（２））を点灯させる。原稿ＧのサイズがＡ４Ｒの場合には、発光素子２１２（１）〜２１２（ｉ）（発光素子ブロックＢＬ（１））及び発光素子２１２（ｋ＋１）〜２１２（ｎ）（発光素子ブロックＢＬ（４）〜ＢＬ（６））を消灯させ、発光素子２１２（ｉ＋１）〜２１２（ｋ）（発光素子ブロックＢＬ（２）〜ＢＬ（３））を点灯させる。原稿ＧのサイズがＢ５／Ｂ４の場合には、発光素子２１２（１）〜２１２（ｉ）（発光素子ブロックＢＬ（１））及び発光素子２１２（ｌ＋１）〜２１２（ｎ）（発光素子ブロックＢＬ（５）〜ＢＬ（６））を消灯させ、発光素子２１２（ｉ＋１）〜２１２（ｌ）（発光素子ブロックＢＬ（２）〜ＢＬ（４））を点灯させる。また、原稿ＧのサイズがＡ４／Ａ３の場合には、発光素子２１２（１）〜２１２（ｉ）（発光素子ブロックＢＬ（１））及び発光素子２１２（ｍ＋１）〜２１２（ｎ）（発光素子ブロックＢＬ（６））を消灯させ、発光素子２１２（ｉ＋１）〜２１２（ｍ）（発光素子ブロックＢＬ（２）〜ＢＬ（５））を点灯させる。なお、設定テーブルＴＬ３は、予め記憶部５２０（図８参照）に記憶されている。
【０１７２】
かかる構成を備えた画像読取装置１００では、原稿Ｇのサイズの検出結果に基づき原稿Ｇのサイズに対応する原稿領域の発光素子又は発光素子ブロックを点灯させる一方、該原稿領域以外の発光素子又は発光素子ブロックを消灯させるので、光源２１１からの光を原稿台ガラス２０１ａ上に載置された原稿Ｇによって遮断させることができ、これにより、原稿Ｇの外側にはみ出した光源２１１からの光によりオペレータに眩しく感じさせることを確実に軽減させることが可能となる。
【０１７３】
［主制御部による動作制御の制御例について］
次に、画像読取装置１００の主制御部４１０による動作制御の制御例について図１２を参照しながら説明する。
【０１７４】
図１２は、画像読取装置１００の主制御部４１０による動作制御の一例を示すフローチャートを示している。なお、この例では、原稿Ｇの画像を読み取るときの発光光量での白基準部材３１８ａの読取値Ｌｓは、閉じ検知時（原稿押さえ板３１９を閉じる毎）に、原稿Ｇの画像を読み取るときよりも少ない発光光量での白基準部材３１８ａの読取値Ｌｃを読み取るときに読み取った値を用いる。
【０１７５】
図１２に示す制御例では、先ず、開閉検知部２６０にて原稿押さえ板３１９の開閉を検出する（ステップＳ１）。このとき、記憶部５２０から読み出した設定テーブルＬ２に基づき原稿有無検知部２８０にて原稿台ガラス２０１ａ上の原稿Ｇの有無を検出し、記憶部５２０から読み出した設定テーブルＬ１に基づき原稿サイズ検知部２７０にて原稿Ｇのサイズ検出を行ってもよい。
【０１７６】
次に、原稿Ｇの画像を読み取るときの発光光量よりも少ない所定の発光光量で発光素子２１２（１）〜２１２（ｎ）又は発光素子ブロックＢＬ（１）〜ＢＬ（ｈ）の全部或いは一部を点灯させる（ステップＳ２）。このとき、原稿有無検知部２８０による検出結果により原稿台ガラス２０１ａ上に原稿Ｇが無い場合に、原稿Ｇの画像を読み取るときの発光光量よりも少ない所定の発光光量で発光素子２１２（１）〜２１２（ｎ）又は発光素子ブロックＢＬ（１）〜ＢＬ（ｈ）の全部或いは一部を点灯させてもよい。また、原稿台ガラス２０１ａ上に原稿Ｇが有る場合に、原稿サイズ検知部２７０による検出結果により記憶部５２０から読み出した設定テーブルＬ３に基づき原稿領域内の発光素子又は発光素子ブロックを点灯させ、原稿領域以外の発光素子又は発光素子ブロックを消灯させてもよい。
【０１７７】
ここで、発光素子２１２（１）〜２１２（ｎ）又は発光素子ブロックＢＬ（１）〜ＢＬ（ｈ）の発光光量が少な過ぎると、白基準部材３１８ａを読み取ったときの電圧に対してノイズの割合が多くなるため、精度のよい光量の補正を行うことが困難となる。従って、眩しさの軽減と補正精度との両立を考慮して、所定の発光光量は、例えば、原稿Ｇの画像を読み取るときの発光光量の７０％程度であることが好ましい。
【０１７８】
次に、待機位置Ｖ１に位置する光源ユニット２１０を発光素子２１２（１）〜２１２（ｎ）を点灯させた状態で白基準部材３１８ａ側へ移動させる（ステップＳ３）。
【０１７９】
そして、ステップＳ４では、白基準部材３１８ａの読取値Ｌｃを光電変換素子２０５で読み取って光量レベルを検出する。このとき、原稿Ｇの画像を読み取るときの発光光量での白基準部材３１８ａの読取値Ｌｓも光電変換素子２０５で読み取って光量レベルを検出しておく。ここで、光源ユニット２１０が原稿読取ガラス２０１ｂの下側に移行する場合には、原稿読取ガラス２０１ｂに達する前に発光素子２１２（１）〜２１２（ｎ）又は発光素子ブロックＢＬ（１）〜ＢＬ（ｈ）を消灯させてもよい。
【０１８０】
次に、基準読取値と読取値とを比較する（ステップＳ５）。具体的には、ステップＳ５では、［（読取値Ｌｃ／読取値Ｌｓ）×基準読取値Ｌｉ］の式で算出した低光量用基準読取値Ｌｉｘと読取値Ｌｃとを比較する。
【０１８１】
次に、光源２１１の光量レベル（ここでは電圧）を補正し（ステップＳ６）、処理を終了する。
【符号の説明】
【０１８２】
１００                      画像読取装置
２００                      原稿読取部
２０１ａ                    原稿台ガラス（原稿載置用透明体の一例）
２０１ｂ                    原稿読取ガラス（原稿読取用透明体の一例）
２０４                      集光レンズ
２０５                      光電変換素子（画像読取部の一例）
２１０                      光源ユニット（光源部の一例）
２１１                      光源
２１２（１）〜２１２（ｎ）  発光素子
２６０                      開閉検知部（開閉検知手段の一例）
２６１                      アクチュエータ部
２６１ａ                    開閉検知レバー
２６１ｂ                    ストッパー部
２６１ｃ                    付勢部材
２６２                      被検知部
２６３                      センサ部
２７０                      原稿サイズ検知部（原稿サイズ検知手段の一例）
２７１〜２７３              原稿サイズセンサ
２８０                      原稿有無検知部（原稿有無検知手段の一例）
２８１                      原稿有無センサ
３００                      自動原稿送り装置（原稿押さえ部材の一例）
３１８                      原稿ガイド部材
３１８ａ                    白基準部材
３１９                      原稿押さえ板
４００                      制御部
４１０                      主制御部
４２０                      原稿読取制御部
４３０                      画像処理部
４４０                      発光素子制御部
４４１                      点灯制御部（点灯制御手段の一例）
４４２                      光量制御部（光量制御手段の一例）
４５０                      光量補正制御部
４６０                      比較部
４７０                      駆動制御部
５１０                      信号処理部
５２０                      記憶部（記憶手段の一例）
５３０                      光学系駆動部
６１０                      回動部材
６１１                      固定部
６１２                      回動部
ＢＬ（１）〜ＢＬ（ｈ）      発光素子ブロック
Ｄ                          画像形成装置
Ｇ                          原稿
Ｌｃ                        読取値
Ｌｉ                        基準読取値
Ｌｉｘ                      低光量用基準読取値
Ｌｓ                        読取値
Ｒ１〜Ｒ４                  受光部
Ｓ１〜Ｓ４                  照射部
Ｖ１                        待機位置
Ｖ２                        読取位置
Ｘ                          主走査方向
Ｙ                          副走査方向
θ                          角度
【図１】
2012104880.tif 000003
【図２】
2012104880.tif 000004
【図３】
2012104880.tif 000005
【図４】
2012104880.tif 000006
【図５】
2012104880.tif 000007
【図６】
2012104880.tif 000008
【図７】
2012104880.tif 000009
【図８】
2012104880.tif 000010
【図９】
2012104880.tif 000011
【図１０】
2012104880.tif 000012
【図１１】
2012104880.tif 000013
【図１２】
2012104880.tif 000014